(57)【要約】【課題】制御信号をやりとりする際、大きな回路構成を用いることなくエコーを判別してエコーによる誤動作を防止する。【解決手段】送信側端末から受信した信号の受信レベルを検出するレベル検出手段を備え、該レベル検出手段により検出したＤＣＳ信号（デジタル命令信号）の受信レベルＡを記憶しておく。そして、ＣＦＲ信号（受信準備確認信号）を送信した直後、送信側端末から受信した信号の受信レベルＢが前記ＤＣＳ信号の受信レベルＡより小さいとき、受信した信号はエコーであるとみなして、当該信号を無視して次の手順に移行させる。【選択図】図２
2009081594.tif 000002
【特許請求の範囲】
【請求項１】
送信側端末から受信した信号の受信レベルを検出するレベル検出手段と、
該レベル検出手段により検出した第１の信号の受信レベルを記憶する記憶手段と、
前記第１の信号を受信した後、送信側端末から受信した第２の信号の前記レベル検出手段により検出した受信レベルが前記記憶手段に記憶した第１の信号の受信レベルより小さいとき、当該第２の信号を無視して次の信号受信手順に移行させるエコー判別手段と、
を備えたことを特徴とするファクシミリ装置。
【請求項２】
前記第１の信号はＤＣＳ信号（デジタル命令信号）であり、前記第２の信号はＣＦＲ信号（受信準備確認信号）を送信した直後、送信側端末から受信する信号であることを特徴とする請求項１に記載のファクシミリ装置。
【発明の詳細な説明】
【技術分野】
【０００１】
本発明は、自機から送出した制御コマンドのエコーが返ってきても支障なく通信を継続できるようにしたファクシミリ装置に関するものである。
【背景技術】
【０００２】
近年、光電話などＩＰ網を利用した回線サービスが普及している。そして、従来のＧ３ファクシミリ装置の通信もＩＰ電話アダプタなどを介してデジタル信号として処理され、ファクシミリ装置としては一般回線網と区別なく動作可能である。
【０００３】
従来のファクシミリ装置は以下のように構成されている。図４は、ファクシミリ装置間で送受信される信号シーケンスを示す信号シーケンス図である。なお、図４に示す信号シーケンスは、原稿の画像データを、ＩＴＵ−Ｔ勧告Ｔ．３０に準拠したＧ３手順に基づいて送受信する場合を示している。
【０００４】
まず、送信側からＣＮＧ信号（Ｃａｌｌｉｎｇ  Ｔｏｎｅ  Ｓｉｇｎａｌ：発呼トーン信号）を送信して、受信側のファクシミリ装置を呼び出す。これを受けて、受信側では、プリメッセージ手順として、ＣＥＤ信号（Ｃａｌｌｅｄ  Ｔｅｒｍｉｎａｌ  Ｉｄｅｎｔｉｆｉｃａｔｉｏｎ  Ｓｉｇｎａｌ：被呼局識別信号）を返送して、呼を確立した  後、受信側ファクシミリ装置がどの程度の受信能力（モデム速度、記録紙幅、標準／ファイン、圧縮方式等）があるかを示すＤＩＳ信号（Ｄｉｇｉｔａｌ  Ｉｄｅｎｔｉｆｉｃａｔｉｏｎ  Ｓｉｇｎａｌ：デジタル識別信号）を送出する。
【０００５】
受信側からＤＩＳ信号を受けて、送信側では、ＤＩＳ信号により通知された受信能力と自己の送信能力との共通範囲内で送信するためのモデム速度等の伝送モードを設定すると共に、該伝送モードを示すデータをＤＣＳ信号（Ｄｉｇｉｔａｌ  Ｃｏｍｍａｎｄ  Ｓｉｇｎａｌ：デジタル送信命令信号）として受信側に送出し、受信側も、同一の伝送モードに設定させる。更に、送信側から受信側に、ＴＣＦ信号（Ｔｒａｉｎｉｎｇ  Ｃｈｅｃｋ  Ｓｉｇｎａｌ：トレーニングチェック信号）を送出し、ファクシミリ情報の送受信時におけるモデムトレーニングを行なう。
【０００６】
該ＴＣＦ信号を受信した受信側では、モデムトレーニングを行ない、トレーニング結果が良好であれば、受信準備の完了を示すＣＦＲ信号（Ｃｏｎｆｉｒｍａｔｉｏｎ  ｔｏ  Ｒｅｃｅｉｖｅ  Ｓｉｇｎａｌ：受信準備確認信号）を送出する。送信側においては、該ＣＦＲ信号を受信すると、送信すべき画像データＰＩＸの送出を開始する。この時、送出する画像データＰＩＸは、１ページ毎に、ＭＨ（Ｍｏｄｉｆｉｅｄ  Ｈｕｆｆｍａｎ），ＭＲ（Ｍｏｄｉｆｉｅｄ  ＲＥＡＤ），ＭＭＲ（Ｍｏｄｉｆｉｅｄ  Ｍｏｄｉｆｉｅｄ  ＲＥＡＤ）、あるいは、ＪＢＩＧ（Ｊｏｉｎｔ  Ｂｉ−ｌｅｖｅｌ  Ｉｍａｇｅ  Ｅｘｐｅｒｔｓ  Ｇｒｏｕｐ）などの符号化方式により符号化され圧縮された画像データとして送出される。
【０００７】
送信側においては、画像データＰＩＸの送信が完了したら、すべての画像データの送信手順の終了を示すＥＯＰ信号（Ｅｎｄ  Ｏｆ  Ｐｒｏｃｅｄｕｒｅ  Ｓｉｇｎａｌ：送信手順終了信号）を送出する。                                                            
【０００８】
受信側では、ＣＦＲ信号の送出後、送信側から画像データＰＩＸが送られてきたら、メッセージ受信処理として、画像データＰＩＸの受信を開始し、前記ＥＯＰ信号を受信し、受信した画像データＰＩＸの受信結果が良好な場合には、ＭＣＦ信号（Ｍｅｓｓａｇｅ  Ｃｏｎｆｉｒｍａｔｉｏｎ  Ｓｉｇｎａｌ：メッセージ受信確認信号）を送出する。
【０００９】
送信側では、該ＭＣＦ信号を受信すると、回線断を示すＤＣＮ信号（Ｄｉｓｃｏｎｎｅｃｔ  Ｓｉｇｎａｌ：切断命令信号）を送出する。
【００１０】
なお、送信側から複数ページに亘る画像データを送信する場合には、１ページ毎に、画像データＰＩＸの通信を行ない、ページの画像データＰＩＸが正常に送受信されたか否かを判定するために、受信側から、１ページ毎にＭＣＦ信号が送信される。そして、すべてのページの送信が完了した段階で、ＥＯＰ信号を送出することになる。
【００１１】
このような信号シーケンスにより、画像データの送受信が行なわれることになるが、ここで、図４に太い矢印で示す、ＴＣＦ信号と画像データ（ＰＩＸ）は、転送データ量が大きくなるので、例えば、１４，４００ｂｐｓ（ＩＴＵ−Ｔ勧告Ｖ．１７準拠の変復調手段）という高速の送信速度で送信されるが、図４に細い矢印で示す、データ量が小さいその他の制御信号は、例えば、前記送信速度の約５０分の１に相当する３００ｂｐｓ（ＩＴＵ−Ｔ勧告Ｖ．２１準拠の変復調手段）という極めて低速の送信速度で送信される。
【００１２】
また、Ｇ３ファクシミリの通信プロトコルでは、受信側は、高速信号であるＣＦＲ信号を返信した後、送信側から高速信号の画情報ＰＩＸが来るか、再度トレーニングをやり直すための低速信号であるＤＣＳ信号が来るかをチェックしている。その結果、高速信号が来れば画情報ＰＩＸとしてメッセージ受信処理に移るが、低速信号が来れば、再度プリメッセージ手順を繰り返す。
【００１３】
ところで、ファクシミリ通信は、一般に公衆回線網を介して行われるが、上記のような信号シーケンス中、回線状況によっては、自機から送出した信号をエコーとして受信してしまうことがある。特に、光電話などＩＰ網の場合、相手側のＶｏＩＰアダプタからのエコーが遅延時間もレベルも大きい。そのように自機から送出した信号をエコーとして受信すると、エコーを相手側からの信号であると誤認して動作し、正常に通信手順を継続できなくなるおそれがある。
【００１４】
そこで、例えば、特許文献１（特開平１１−１１２７５８号公報）に示されるように、エコーによる誤動作を防止するため、受信したＦＳＫコマンド（低速用の制御コマンド）のＸビット（第１ビット）を、直前に自機が送出したＦＳＫコマンドのＸビットと比較して、両者が一致しているか否かでエコーか否かを判別し、エコーであると判断したときは受信信号を無視するようにしたファクシミリ装置が開発されている。
【特許文献１】特開平１１−１１２７５８号公報（段落［０００９］、段落［００１０］、図１）
【発明の開示】
【発明が解決しようとする課題】
【００１５】
しかしながら、特許文献１に示されるファクシミリ装置では、ＦＳＫコマンドを送出する際に、そのＸビットに「１」あるいは「２」をセットするため、Ｘビット制御部を設ける必要があり、回路構成が大きくなるという問題点があった。
【００１６】
本願の発明者は上記の問題点を解消すべく種々検討を重ねた結果、送信側端末から受信した信号の受信レベルを記憶し、その後送信側端末から受信した信号の受信レベルが記憶した受信レベルより小さいとき、当該信号を無視するようになせば、上記の問題点を解消し得ることを想到し本発明を完成するに至ったものである。
【００１７】
すなわち、本発明は、上記の問題点を解消することを課題とし、大きな回路構成を用いることなくエコーを判別してエコーによる誤動作を防止することを目的とするものである。
【課題を解決するための手段】
【００１８】
前記課題を解決するため、本願の請求項１にかかる発明は、送信側端末から受信した信号の受信レベルを検出するレベル検出手段（例えば下記実施例では、モデム１４Ａに相当する）と、該レベル検出手段により検出した第１の信号の受信レベルを記憶する記憶手段（例えば下記実施例では、ＲＡＭ３Ａに相当する）と、前記第１の信号を受信した後、送信側端末から受信した第２の信号の前記レベル検出手段により検出した受信レベルが前記記憶手段に記憶した第１の信号の受信レベルより小さいとき、当該第２の信号を無視して次の信号受信手順に移行させるエコー判別手段（例えば下記実施例では、制御部１Ａに相当する）と、を備えたことを特徴とする。
【００１９】
また、本願の請求項２にかかる発明は、請求項１にかかるファクシミリ装置において、前記第１の信号はＤＣＳ信号（デジタル命令信号）であり、前記第２の信号はＣＦＲ信号（受信準備確認信号）を送信した直後、送信側端末から受信する信号であることを特徴とする。
【発明の効果】
【００２０】
本発明のファクシミリ装置は、次のような効果を奏する。
【００２１】
すなわち、第１の信号であるＤＣＳ信号（デジタル命令信号）の受信レベルを記憶させておき、ＣＦＲ信号（受信準備確認信号）を送信した直後、送信側端末から受信した第２の信号の受信レベルがＤＣＳ信号の受信レベルより小さいとき、当該信号をエコーであるとみなし、無視して次の信号受信手順に移行させるようする。
【００２２】
このような構成によれば、大きな回路構成を用いることなくエコーを判別してエコーによる誤動作を防止することができる。
【発明を実施するための最良の形態】
【００２３】
以下、本発明の具体例を実施例及び図面を用いて詳細に説明する。但し、以下に示す実施例は、本発明の技術思想を具体化するためのファクシミリ装置を例示するものであって、本発明をこのファクシミリ装置に特定することを意図するものではなく、特許請求の範囲に含まれるその他の実施形態のファクシミリ装置にも等しく適用し得るものである。
【実施例】
【００２４】
図１は、本発明の一実施例に係るファクシミリ装置を適用してなる通信システムを示すブロック図である。通信システムは、同型のファクシミリ装置Ａ、Ｂが電話回線で接続されて構成されている。各ファクシミリ装置は、制御部（１Ａ，１Ｂ）、ＲＯＭ（２Ａ，２Ｂ）、ＲＡＭ（３Ａ，３Ｂ）、操作部（４Ａ，４Ｂ）、インターフェースＩ／Ｏ（５Ａ，５Ｂ）、プリンタ（６Ａ，６Ｂ）、スキャナ（７Ａ，７Ｂ）、画処理回路（８Ａ，８Ｂ）スピーカ（９Ａ，９Ｂ）、マイク（１０Ａ，１０Ｂ）、アナログインターフェース（１１Ａ，１１Ｂ）、音声メモリ（１２Ａ，１２Ｂ）、音声分析合成回（１３Ａ，１３Ｂ）、モデム（１４Ａ，１４Ｂ）、ＮＣＵ（１５Ａ，１５Ｂ）、バス（１６Ａ，１６Ｂ）などを備えて構成されている。
【００２５】
なお、制御部1Ａは本発明のエコー判別手段に相当し、ＲＡＭ３Ａは本発明の記憶手段に相当し、モデム１４Ａは本発明のレベル検出手段に相当する。
【００２６】
制御部１Ａ，１Ｂは、マイクロコンピュータ等からなり、それぞれ各ファクシミリ装置Ａ、Ｂにおいて、ＲＯＭ２Ａ，２Ｂに予め格納されている制御プログラムに基づいて、以下に説明する各部を制御する。なお、制御部１Ａ，１Ｂとその他の回路はバス１６Ａ，１６Ｂを介して接続されている。
【００２７】
ＲＡＭ３Ａ，３Ｂは、それぞれ制御部１Ａ，１Ｂのワークメモリとなる。操作部４Ａ，４Ｂは、それぞれインターフェース５Ａ，５Ｂを介して制御部１Ａ，１Ｂに接続される。プリンタ６Ａ，６Ｂは、インクジェット方式、感熱式、熱転写式、電子写真方式等の周知の方式のプリンタである。スキャナ７Ａ，７Ｂは、ＣＣＤ、密着型イメージセンサ等の光学式読取機構を備えており、原稿に描かれた文字、図形等の画像情報を読取る。画処理回路８Ａ，８Ｂは、スキャナ７Ａ，７Ｂより出力されたアナログ画像情報をデジタル化し出力する。
【００２８】
スピーカ９Ａ，９Ｂ、マイク１０Ａ，１０Ｂは、アナログインターフェース１１Ａ，１１Ｂに接続されており、該インターフェース１１Ａ，１１Ｂはマイク１０Ａ，１０Ｂ又は電話回線を介して入力されたアナログ音声信号をデジタル化すると共に、後述の音声分析合成回路１３Ａ，１３Ｂより供給されるデジタル音声信号（以下、音声情報という）をアナログ音声信号に変換し、スピーカ９Ａ，９Ｂより出力する。音声メモリ１２Ａ，１２Ｂは、音声情報を格納するための読出及び書込可能なメモリであり、半導体ランダムアクセスメモリがアクセス速度及び小型化の観点から好ましい。
【００２９】
音声分析合成回路１３Ａ，１３Ｂは、アナログインターフェース１１Ａ，１１Ｂより供給された音声情報を、例えばＰＡＲＣＯＲ方式、ＡＤＰＣＭ方式等により符号化して音声メモリ１２Ａ，１２Ｂに格納し、また音声メモリ１２Ａ，１２Ｂ中の符号化音声情報を復号化しアナログインターフェース１１Ａ，１１Ｂに出力する。
【００３０】
モデム１４Ａ，１４Ｂは、送受信信号の変復調を行ない、ＮＣＵ（Ｎｅｔｗｏｒｋ  Ｃｏｎｔｒｏｌ  Ｕｎｉｔ）１５Ａ，１５Ｂは、電話回線との回線接続の制御を行うものである。
【００３１】
さらに、本発明のファクシミリ装置におけるモデム１４Ａ，１４Ｂは、送信側ファクシミリ装置から受信した信号の受信レベルを検出するレベル検出機能を備えており、ＤＣＳ信号（デジタル命令信号）の受信レベルを検出し、制御部１Ａ，１Ｂを介してＲＡＭ３Ａ，３Ｂに記憶する。また、ＣＦＲ信号（受信準備確認信号）を送信した直後、送信側ファクシミリ装置から受信した信号の受信レベルを検出して制御部１Ａ，１Ｂに与える。
【００３２】
上記各ファクシミリ装置Ａ、Ｂは共に、スキャナ７Ａ，７Ｂで読取られ、画処理回路８Ａ，８Ｂでデジタル化された画像情報と同様に、音声情報をもＭＨ又はＭＲ符号化した上でＥＣＭ（Ｅｒｒｏｒ  Ｃｏｒｒｅｃｔｉｏｎ  Ｍｏｄｅ）のＨＤＬＣ（Ｈｉｇｈ−ｌｅｖｅｌ  Ｄａｔａ  Ｌｉｎｋ  Ｃｏｎｔｒｏｌ）フォーマットに従って送受信する機能（以下、ＦＡＸ音声送受信機能という）を有する
ファクシミリ装置間で画情報を送受信する際、図４に示したように、送信側ファクシミリ装置と受信側ファクシミリ装置との間で、ＣＥＤ信号，ＤＩＳ信号，ＤＣＳ信号，ＴＣＦ信号，ＣＦＲ信号等の各種制御信号がやりとりされる。
【００３３】
以下、装置Ｂが送信側ファクシミリ装置、装置Ａが受信側ファクシミリ装置であるものとして説明を行う。
【００３４】
図２は、ファクシミリ装置間で送受信される信号シーケンスにおける信号毎の信号レベルを模式的に示す図である。図２において、横軸は時間、縦軸は信号レベル（電圧）を示している。送信側ファクシミリ装置ＢからＣＮＧ信号による呼び出しを受けると、受信側ファクシミリ装置Ａから送信側に所定の長さ、信号レベルのＣＥＤ信号と、それに続けてＤＩＳ信号が返信される。それらの信号の信号レベルは送信途中である程度減衰して送信側ファクシミリ装置Ｂに到達する。
【００３５】
そのＤＩＳ信号を受けて、送信側から受信側に、モデム速度等の伝送モードを示すＤＣＳ信号を送信するが、その際、受信側ではＤＣＳ信号を受信したら、減衰して到達したＤＣＳ信号の信号レベルＡを検出してＲＡＭ１４Ａに記憶する。そして、その受信側のモードがＤＣＳ信号で指定された伝送モードに設定された後、送信側から受信側に、トレーニングチェック用のＴＣＦ信号を送出し、ファクシミリ情報の送受信時におけるモデムトレーニングを行う。
【００３６】
該ＴＣＦ信号を受信した受信側では、トレーニング結果が良好であれば、受信準備の完了を示すＣＦＲ信号を返信する。前述したように、Ｇ３ファクシミリの通信プロトコルでは、受信側は、高速信号であるＣＦＲ信号を返信した後、送信側から高速信号の画情報ＰＩＸが来るか、再度トレーニングをやり直すための低速信号であるＤＣＳ信号が来るかをチェックしている。そしてその後、高速信号が来れば画情報ＰＩＸとしてメッセージ受信処理に移るが、低速信号が来れば、再度プリメッセージ手順を繰り返す。
【００３７】
その際、図２のＣＦＲ信号の下側に、ＣＦＲ信号の前後を、時間を拡大して示すように、ＣＦＲ信号を返信した後、ＣＦＲ信号のエコーが受信側に返って来ることがある。そこで、ＣＦＲ信号を返信した直後に受信した信号が、正規の信号であるかエコーであるかを判別するため、ＣＦＲ信号を送信した直後に送信側から受信した信号の信号レベルＢを検出し、受信レベルが前記記憶手段に記憶したＤＣＳ信号の受信レベルＡより小さいときは、エコーであるとみなして当該信号を無視させる。
【００３８】
その結果、ＣＦＲ信号を返信した後、ＣＦＲ信号のエコーが受信側に返って来ることがあっても、受信側は、ＣＦＲ信号のエコーを正規の信号であると誤認識することがなくなり、その後に送られてくる高速信号の画情報ＰＩＸの正常な受信が可能になる。送信側においては、該ＣＦＲ信号を受信すると、送信すべき画像データＰＩＸの送出を開始する。
【００３９】
次に、図３のフローチャートを参照しながら、本発明のファクシミリ装置における信号送受信の制御処理を説明する。図３は、本発明の一実施例に係るファクシミリ装置における信号送受信の制御処理を示すフローチャートである、受信側のファクシミリ装置において、送信側からＣＮＧ信号を受信してＣＥＤ信号とＤＩＳ信号を送信した後の処理を示している。
【００４０】
なお、図３に示す処理はＲＯＭ２Ａに記憶されている制御プログラムを実行することで実現される。
【００４１】
まず、ステップＳ１において、モデム１４Ａは、送信側からのＤＣＳ信号が検出されたか否かを判別し、ステップＳ３にＤＣＳ信号が検出されない場合にはステップＳ２に進み、ＤＣＳ信号が検出された場合にはステップＳ３に進む。
【００４２】
ステップＳ２では、音声受信等、ファクシミリ以外の受信処理を実行し、処理を終了させる。一方、ステップＳ１の判別処理においてでＤＣＳ信号が検出されたら、モデム１４Ａは、ステップＳ３において、その信号の受信レベルＡを検出する。そして、ステップＳ４において、その値をＲＡＭ３Ａに記憶し、それに続けて、ステップＳ５で、送信側からＴＣＦ信号を受信し、モデムトレーニングを行う。
【００４３】
そして、トレーニング結果が良好であれば、モデム１４Ａは、ステップＳ６において、受信準備の完了を示すＣＦＲ信号を返信し、ステップＳ７で、画情報ＰＩＸが送られてくるまでの時間をカウントとするため、タイマをスタートさせる。
【００４４】
その後、ステップＳ８において、モデム１４Ａは、低速信号を受信したか否かを判別し、受信した場合には、ステップＳ９にて、その信号の受信レベルＢを検出する。そして、ステップＳ１０において、制御部１Ａは、検出したレベルＢとステップＳ４で記憶したレベルＡとを比較して、レベルＢがレベルＡより小さいか否かを判別し、レベルＢがレベルＡより小さくない場合、受信した低速信号はエコーではなく正規の信号であるとみなして、ステップＳ１に戻す。
【００４５】
ステップＳ８で低速信号を受信しない場合、あるいは、ステップＳ１０でレベルＢがレベルＡより小さい場合、ステップＳ１１に進み、モデム１４Ａは、ステップＳ８で受信した低速信号はエコーであるとみなして、次に送られてくるはずの画情報ＰＩＸを受信するため、高速信号を受信したか否かを判別し、高速信号を受信した場合には、ステップＳ１２において、その画情報ＰＩＸの受信処理を実行し、処理を終了させる。
【００４６】
他方、高速信号を受信しない場合には、ステップＳ１３において、モデム１４Ａは、ステップＳ７でスタートさせたタイマがタイムオーバになったか否かを判別し、タイムオーバになっていなければ、ステップＳ８に戻ってステップＳ８〜ステップＳ１１の処理を繰り返すが、タイムオーバになった場合、ステップＳ１４において、何らかのエラーが発生したとみなして回線を断って、処理を終了させる。
【００４７】
以上説明したように本発明に係るファクシミリ装置によれば、ＣＦＲ信号（受信準備確認信号）を送信した直後、送信側端末から受信した信号の受信レベルがＤＣＳ信号の受信レベルより小さいとき、当該信号をエコーであるとみなし、無視して次の手順に移行させるようにした。その結果、大きな回路構成を用いることなくエコーを判別してエコーによる誤動作を防止することができる。
【００４８】
特に、ＩＰ網などのシステム上のエコーは送信側のアダプタ内で起きており、本来の送信側の信号より非常に小さいレベルの信号になっている。したがって、受信検知レベル以上で受信した信号がそれまでに受信した送信側の低速信号レベルより小さい信号の場合にはエコーと判断することによりこれを無視させるため、受信側はＣＦＲのエコーを誤検出せずに高速信号の検出ができるのでＦＡＸ受信が可能となり、光電話などのＩＰ網を利用した回線サービスにおいてもエラーすることなく受信できる頻度が大きくなる。
【図面の簡単な説明】
【００４９】
【図１】本発明の一実施例に係るファクシミリ装置を適用してなる通信システムを示すブロック図である。
【図２】本発明の一実施例に係るファクシミリ装置間で送受信される信号シーケンスにおける信号毎の信号レベルを模式的に示す図である。
【図３】本発明の一実施例に係るファクシミリ装置における信号送受信の制御処理を示すフローチャートである。
【図４】従来のファクシミリ装置間で送受信される信号シーケンスを示す信号シーケンス図である。
【符号の説明】
【００５０】
１Ａ，１Ｂ・・・・制御部
２Ａ，２Ｂ・・・・ＲＯＭ
３Ａ，３Ｂ・・・・ＲＡＭ
４Ａ，４Ｂ・・・・操作部
５Ａ，５Ｂ・・・・インターフェース
６Ａ，６Ｂ・・・・プリンタ
７Ａ，７Ｂ・・・・スキャナ
８Ａ，８Ｂ・・・・画処理回路
９Ａ，９Ｂ・・・・スピーカ
１０Ａ，１０Ｂ・・・・マイク
１１Ａ，１１Ｂ・・・・アナログインターフェース
１２Ａ，１２Ｂ・・・・音声メモリ
１３Ａ，１３Ｂ・・・・音声分析合成回路
１４Ａ，１４Ｂ・・・・モデム
１５Ａ，１５Ｂ・・・・ＮＣＵ
１６Ａ，１６Ｂ・・・・バス
【図１】
2009081594.tif 000003
【図２】
2009081594.tif 000004
【図３】
2009081594.tif 000005
【図４】
2009081594.tif 000006